(57)【要約】      （修正有） 【課題】植木鉢やプランターを用いて蔓性植物を良好に栽培できる植物支持装置を提供する。【解決手段】周方向に所要間隔をおいて立設される支柱５の３本と、隣り合う支柱５，５相互を支柱の上下端側で連結する支柱連結具６を具える。支柱連結具６には、支柱相互を連結して構成された筒状支柱枠体７の外周面９を覆うネット材を引っ掛けるための引掛け部１０が設けられている。支柱連結具６は、支柱５の長さ方向で移動でき、上下対向する支柱連結具間の間隔を大きくするように支柱連結具６を移動させることにより、筒状支柱枠体７の外周面９を覆ったネット材を、上下方向で張った状態となし得る。【選択図】図１
0003148053.tif 000002
【実用新案登録請求の範囲】
【請求項１】
周方向に所要間隔をおいて立設される支柱の３本以上と、隣り合う支柱相互を該支柱の少なくとも上下端側において連結する支柱連結具とを具え、該支柱連結具には、支柱相互を連結して構成された筒状支柱枠体の外周面を覆うように取り付けられ且つ蔓性植物の蔓を巻き付かせるネット状物を引っ掛けるための引掛け部が設けられており、又、該支柱連結具は、前記支柱を嵌入させる嵌入凹部を有し且つ該嵌入凹部に嵌入された支柱を弾性的に挾持し得る支柱挾持部が、連結部材に設けられてなり、該嵌入凹部に支柱が嵌入された状態で該支柱連結具は該支柱の長さ方向で移動可能であり、前記ネット状物が前記引掛け部に引っ掛けられた状態で、上下対向する支柱連結具間の間隔を大きくするように該支柱連結具を該支柱の長さ方向で移動させることにより、前記筒状支柱枠体の外周面を覆った状態に取り付けられる前記ネット状物を上下方向で張った状態となし得ることを特徴とする植物支持装置。
【請求項２】
前記連結部材の両端部分に、前記支柱挾持部の外方に突出して前記引掛け部となる突出部が設けられていることを特徴とする請求項１記載の植物支持装置。
【請求項３】
前記連結部材の、前記ネット状物が取り付けられる外面側に係合突部が設けられており、該係合突部は、該外面側に、前記ネット状物の上の縁部分を下方から支持できる突出支持片が設けられ、該突出支持片の端部に、該突出支持片が支持する該上の縁部分が脱落するのを防止する脱落防止片が設けられてなることを特徴とする請求項１又は２記載の植物支持装置。
【請求項４】
植物支持装置とネット材とを具える植物栽培棚の組み立てセットであって、
該植物支持装置は、周方向に所要間隔をおいて立設される支柱の３本以上と、隣り合う支柱相互を該支柱の上下端側において連結する支柱連結具を具え、該支柱連結具には、支柱相互を連結して構成された筒状支柱枠体の外周面を覆うように取り付けられ且つ蔓性植物の蔓を巻き付かせるネット材を引っ掛けるための引掛け部が設けられており、又、該支柱連結具は、前記支柱を嵌入させる嵌入凹部を有し且つ該嵌入凹部に嵌入された支柱を弾性的に挾持し得る支柱挾持部が、連結部材に設けられてなり、該嵌入凹部に支柱が嵌入され且つ、前記ネット材の上下の縁部分が前記支柱連結具の前記引掛け部に引っ掛けられた状態で、上下の支柱連結具が、上下の支柱連結具間の間隔が大きくなるように前記支柱の長さ方向で移動せしめられることによって、前記ネット材が上下方向で張った状態となるように構成されていることを特徴とする植物栽培棚の組み立てセット。
【請求項５】
前記連結部材の両端部分に、前記支柱挾持部の外方に突出して前記引掛け部となる突出部が設けられていることを特徴とする請求項４記載の植物栽培棚の組み立てセット。
【請求項６】
前記連結部材の、前記ネット材が取り付けられる外面側に係合突部が設けられており、該係合突部は、該外面側に、前記ネット材の上の縁部分を下方から支持できる突出支持片が設けられ、該突出支持片の端部に、該突出支持片が支持する該上の縁部分が脱落するのを防止する脱落防止片が設けられてなることを特徴とする請求項４記載の植物栽培棚の組み立てセット。
【考案の詳細な説明】
【技術分野】
【０００１】
本考案は、植木鉢やプランターで蔓性植物を栽培するために用いて好適な植物支持装置に関するものであり、又、植物栽培棚の組み立てセットに関するものである。
【背景技術】
【０００２】
本出願人は特開平１０−５２３４４号公報で、植木鉢等に充填された栽培土に、支柱の３本以上（例えば４本）を周方向に所要間隔を置いて立設し、隣り合う支柱相互を環状の支柱連結具で連結してなる筒状支柱枠体を具えた植物支持装置を提供した。
【０００３】
又本出願人は、実用新案登録第３１４３８５８号公報で、例えば三角形の各頂点位置で立設された３本の支柱の隣り合う支柱相互を棒状の支柱連結具で連結してなる筒状支柱枠体を具えた植物支持装置を提供した。
【０００４】
かかる従来の植物支持装置は、立設された支柱相互を支柱連結具で連結してなる筒状支柱枠体を用いるものであり該支柱や該支柱連結具によって植物の茎や幹を支持できるため、蔓性でない植物を栽培する上では効果的であったが、蔓の巻き付き部が少なかったことから蔓性植物の栽培には適当でなかった。
【０００５】
【特許文献１】特開平１０−５２３４４号公報
【特許文献２】実用新案登録第３１４３８５８号公報
【考案の開示】
【考案が解決しようとする課題】
【０００６】
本考案は、前記従来の問題点に鑑みて開発されたものであり、ベランダ等の狭い場所でもキュウリや豆類、朝顔等の蔓性植物を栽培したいという要求の高まりに応えるために、植木鉢やプランターを用いて蔓性植物を良好に栽培できる植物支持装置の提供を課題とするものである。又、ネット材が張設された植物栽培棚を簡易に形成できる植物栽培棚の組み立てセットの提供を課題とするものである。
【課題を解決するための手段】
【０００７】
前記課題を解決するため本考案は以下の手段を採用する。
即ち、本考案に係る植物支持装置は、周方向に所要間隔をおいて立設される支柱の３本以上と、隣り合う支柱相互を該支柱の少なくとも上下端側において連結する支柱連結具とを具え、該支柱連結具には、支柱相互を連結して構成された筒状支柱枠体の外周面を覆うように取り付けられ且つ蔓性植物の蔓を巻き付かせるネット状物を引っ掛けるための引掛け部が設けられている。又、該支柱連結具は、前記支柱を嵌入させる嵌入凹部を有し且つ該嵌入凹部に嵌入された支柱を弾性的に挾持し得る支柱挾持部が、連結部材に設けられてなり、該嵌入凹部に支柱が嵌入された状態で該支柱連結具は該支柱の長さ方向で移動可能である。そして、前記ネット状物が前記引掛け部に引っ掛けられた状態で、上下対向する支柱連結具間の間隔を大きくするように該支柱連結具を該支柱の長さ方向で移動させることにより、前記筒状支柱枠体の外周面を覆った状態に取り付けられる前記ネット状物を上下方向で張った状態となし得ることを特徴とする植物支持装置。
【０００８】
該植物支持装置において、前記連結部材の両端部分に、前記支柱挾持部の外方に突出して前記引掛け部となる突出部が設けられたものとして構成するのがよい。
【０００９】
前記各植物支持装置において、前記連結部材の、前記ネット状物が取り付けられる外面側に係合突部を設けるのがよい。該係合突部は、例えば、該外面側に、前記ネット状物の上の縁部分を下方から支持できる突出支持片を設け、該突出支持片の端部に、該突出支持片が支持する該上の縁部分が脱落するのを防止する脱落防止片を設けて構成できる。
【００１０】
本考案に係る植物栽培棚の組み立てセットは、植物支持装置とネット材とを具え、該植物支持装置は、周方向に所要間隔をおいて立設される支柱の３本以上と、隣り合う支柱相互を該支柱の上下端側において連結する支柱連結具を具え、該支柱連結具には、支柱相互を連結して構成された筒状支柱枠体の外周面を覆うように取り付けられ且つ蔓性植物の蔓を巻き付かせるネット材を引っ掛けるための引掛け部が設けられている。又、該支柱連結具は、前記支柱を嵌入させる嵌入凹部を有し且つ該嵌入凹部に嵌入された支柱を弾性的に挾持し得る支柱挾持部が、連結部材に設けられてなり、該嵌入凹部に支柱が嵌入され且つ、前記ネット材の上下の縁部分が前記支柱連結具の前記引掛け部に引っ掛けられた状態で、上下の支柱連結具が、上下の支柱連結具間の間隔が大きくなるように前記支柱の長さ方向で移動せしめられることによって、前記ネット材が上下方向で張った状態となるように構成されていることを特徴とするものである。
【００１１】
該植物栽培棚の組み立てセットにおいて、前記連結部材の両端部分に、前記支柱挾持部の外方に突出して前記引掛け部となる突出部が設けられたものとして構成するのがよい。  
【００１２】
前記各植物栽培棚の組み立てセットにおいて、前記連結部材の、前記ネット材が取り付けられる外面側に係合突部を設けるのがよい。該係合突部は、例えば、該外面側に、前記ネット材の上の縁部分を下方から支持できる突出支持片を設け、該突出支持片の端部に、該突出支持片が支持する該上の縁部分が脱落するのを防止する脱落防止片を設けて構成できる。
【考案の効果】
【００１３】
本考案は以下の如き優れた効果を奏する。
(1) 本考案に係る植物支持装置によるときは、地面に対しては元より植木鉢やプランターに対しても、筒状支柱枠体を安定した立設状態で設けることができると共に該筒状支柱枠体の外周面を覆うようにネット状物を簡易且つ確実に取り付けることができる。
このように、植木鉢やプランターを用いて、ネット状物で覆われた自立状態の植物栽培棚を安定性に優れたものとして形成できることから、ベランダ等の狭い場所を有効活用して、キュウリやゴーヤ、かぼちゃ、エンドウやインゲン、朝顔等の各種の蔓性植物を良好に栽培できることとなる。
【００１４】
(2) 支柱相互を連結する支柱連結具は、支柱の少なくとも上下端側において、支柱相互を連結するように支柱に取り付けられるものであり、構成された筒状支柱枠体の外周面を覆うように取り付けられたネット状物を引っ掛けるための引掛け部が設けられている。然も該支柱連結具は、支柱の長さ方向で移動可能である。
かかることから、筒状支柱枠体の外周面を覆った状態に取り付けられた該ネット状物を上下の支柱連結具の所要の引掛け部に引っ掛けて後、該上の支柱連結具を上方向に移動させたり、下の支柱連結具を下方向に移動させる等して、上下の支柱連結具間の間隔を大きくすることにより、該ネット状物を該外周面に正しく張設できることとなる。
このように本考案に係る支柱連結具は、支柱相互を連結する役割と、該外周面を覆うように取り付けられたネット状物を張設する役割の２重の役割を果たすため、安定した自立状態の植物栽培棚を構造簡素に形成できることとなる。
【００１５】
(3) 前記支柱連結具に、突出支持片を介して脱落防止片を設ける場合は、例えばキュウリを栽培した場合等、果実の重量が増してネット状物の上の縁部分が下方に引っ張られたときにも、これを安定的に支持できるため、植物栽培をより良好に行い得ることとなる。
【００１６】
(4) 本考案に係る植物栽培棚の組み立てセットは、植物支持装置とネット材とがセットであるため、これを購入した使用者は、蔓性植物の栽培に好適なネット材被覆の植物栽培棚を簡易に形成できることとなる。
【実施例１】
【００１７】
図１〜２において本考案に係る植物支持装置１は、蔓性植物を良好に栽培し得る植物栽培棚２（図３）の組み立てを簡易に行うことができるものであり、周方向に所要間隔を置いて立設される支柱５の３本以上、例えば３本と、隣り合う支柱５，５相互を連結する支柱連結具６を具え、該支柱連結具６には、支柱５，５相互を連結して構成された筒状支柱枠体７の外周面９を覆うように張設されるネット状物３を引っ掛けるための引掛け部１０が設けられている。
【００１８】
該支柱５は、栽培する植物に応じて所定長さに設定されるものであり、キュウリやゴーヤ等の大型の果菜類を栽培する場合は例えば１８００ｍｍ長さのものを用い、エンドウやインゲン等の小型の果菜類を栽培する場合は例えば１５００ｍｍ長さのものを用いるのがよい。又、朝顔やクレマチス等の花を栽培する場合は例えば１２００ｍｍ長さのものを用いるのがよい。又、該支柱５は断面円形状を呈し、その径は例えば１０ｍｍのものを用いる。なお該支柱５の外周面４は、図１（Ａ）に示すような平滑面として形成される他、図１（Ｂ）に示すように、外周面４に、その長さ方向に延長する複数列の不連続突起列８が設けられることもある。
【００１９】
前記支柱連結具６は、図４に示すように、全体が合成樹脂で一体成型されており、直線棒状を呈する連結部材１１の両端側をなす支柱連結部分１２，１２の夫々の内面側（支柱に向き合う面側）１３に支柱挾持部１５，１５が設けられている。該支柱挾持部１５は、本実施例においては該支柱連結部分１２に、その長さ方向に所要間隔（例えば２０ｍｍの間隔）を置いて３個設けられている。そして該連結部材１１の両端部分には、外端に位置する支柱挾持部１５ａの基端１６の外方に稍突出して前記引掛け部１０となる突出部１７が設けられている。
【００２０】
前記連結部材１１は、本実施例においては図４〜５に示すように、上下方向板部１９の内面側の長手中央線に沿って、内方に突出する突条２０が設けられており、横断面Ｔ字状を呈している。そして前記支柱挾持部１５は、図４（Ａ）に示すように、前記支柱連結部分１２，１２の前記内面側１３に、該突条２０にその内側から外側に向けて食い込む状態で一体に組み込まれている。本実施例において該連結部材１１の長さは例えば２８０ｍｍに設定されると共に、前記上下方向板部１９の上下幅は例えば１０ｍｍに設定され、前記突条２０の突出幅は例えば２．５ｍｍに設定されている。
【００２１】
前記３個の支柱挾持部１５，１５，１５は共に同一の構成を有しており、図５に拡大して示すように、ガイド片２１，２１が突設された挾持部本体２２を具えている。
【００２２】
該挾持部本体２２は、前記支柱５を嵌入させる円弧面からなる、軸線が上下方向である嵌入凹部２３を有し、該嵌入凹部２３に収容された支柱５を弾性的に挾持し得る横断面Ｃ字状を呈している。
【００２３】
そして該挾持部本体２２の、Ｃ字状部分の開放端としての支柱導入口２５は、前記支柱５の径よりも小さく形成されており、該支柱導入口２５の両端部に前記ガイド片２１，２１が突設されている。該ガイド片２１，２１は、両者間の幅が先端に向けて拡大するハの字状を呈するように互いに逆方向に突設されている。そして該挾持部本体２２の前記支柱導入口２５の両側の縁部分２６，２６には、図５に示すように、前記嵌入凹部２３に嵌入された支柱５の表面２７に当接して該支柱５を嵌入凹部２３に一層確実に拘束させるための点状の突出部２９，２９が突設されている。そして該ガイド片２１，２１は、前記引掛け部１０としても機能する。
【００２４】
又、前記連結部材１１の外面側（支柱と反対の面側）３０の両端寄り部位（本実施例においては、中間の前記支柱挾持部１５ｂと略対向する部位）に、図４（Ｂ）、図６（Ａ）に示すように、突出支持片３１を介して脱落防止片３２が設けられてなる係合突部３３が配設されている。該突出支持片３１は、本実施例においては、該連結部材１１の長さ方向に稍長い横断面長方形を呈して水平に突設する矩形板状に形成されており、前記脱落防止片３２は、該矩形板状の突出支持片３１の先端において、該突出支持片３１の上下に突出する突部３５，３５が設けられた上下に長い矩形板状に形成されている。該突出支持片３１は、前記ネット材３ａの上の縁部分５５を下方から支持できるものであり、該脱落防止片３２は、該突出支持片３１が支持する該上の縁部分５５が脱落するのを防止する。
【００２５】
然して、かかる３本の支柱５，５，５と支柱連結具６とを用いて、筒状支柱枠体７を例えば植木鉢３７上で形成するに際しては、先ず図１に示すように、該植木鉢３７の栽培土３９の上面４０の中央部位にキュウリの苗（図示せず）を植えた状態で、該植木鉢３７の内周面４１に近接して設定した三角形の頂点位置で３本の支柱５，５，５を、その下端側の例えば２０ｃｍ程度の部分４２を該栽培土３９に差し込んで立設する。隣り合う支柱５，５の立設間隔は、本実施例においては、前記連結部材１１の両外端の支柱挾持部１５ａ，１５ａ間の間隔に概略合わせて設定する。
【００２６】
以下の説明においては便宜上、前記３本の支柱を、周方向で見て、第１の支柱５ａ、第２の支柱５ｂ、第３の支柱５ｃと区別することがある。又、支柱連結具６を第１の支柱連結具６ａ、第２の支柱連結具６ｂ、第３の支柱連結具６ｃと区別することがある。
【００２７】
その後、図１（Ａ）に示すように、隣り合う支柱５，５相互を前記支柱連結具６で連結する。本実施例においては、例えば、支柱５，５の上端側の部分４３，４３相互と下端側の部分（栽培土３９の上面４０に近接した部分）４５，４５相互を前記支柱連結具６で連結する。該支柱５，５相互の連結は、図２、図５に示すように、前記連結部材１１の両端側に設けられている支柱挾持部１５ａ，１５ａの嵌入凹部２３に該上端側の部分４３、下端側の部分４５を嵌入して行う。このように嵌入によって支柱５，５相互を連結するため、該支柱連結具６は支柱５の長さ方向（上下方向）で移動可能である。
【００２８】
図１（Ａ）においては、第１の支柱５ａと第２の支柱５ｂ相互を第１の支柱連結具６ａで連結し、第２の支柱５ｂと第３の支柱５ｃ相互を第２の支柱連結具６ｂで連結し、第３の支柱５ｃと第１の支柱５ａ相互を第３の支柱連結具６ｃで連結している。このようにして３本の支柱５ａ，５ｂ，５ｃを支柱連結具６ａ，６ｂ，６ｃで連結することにより、三角形筒状を呈する筒状支柱枠体７を形成できる。
【００２９】
その後、図３に示すように、該筒状支柱枠体７の外周面９を覆うように、蔓を這わせることができ蔓が巻き付き可能な前記ネット状物３が設けられる。該ネット状物３は本実施例においては、矩形状を呈する一枚物のネット材３ａとして構成されており、その上下長さは、栽培する植物（本実施例においてはキュウリ）に応じて設定される。本実施例においては、前記筒状支柱枠体７の下端側から上端側に亘る部分を覆うように設定される。又その横方向長さは、該外周面９を周方向に覆い得る長さに設定されている。そして該ネット材３ａのネットの目４６の大きさは、植物の葉が該ネットの目を通して筒状支持枠体７の外側に出て生長できるようにする等、植物の成長を阻害しない程度に設定する。例えば、一辺長さが１００〜２００ｍｍに設定される。
【００３０】
図７は、かかる構成を有するネット材３ａで前記筒状支柱枠体７の外周面９を覆った状態を、前記筒状支柱枠体７の上端側の部分７ａと下端側の部分７ｂで示すものであるが、このように覆うに際しては、該ネット材３ａを前記引掛け部１０に引っ掛けて行う。該引掛け部１０は、前記筒状支柱枠体７の外周面９を該ネット材３ａで覆うに際して該ネット材３ａを引っ掛けることのできる各種の部位を指すものであり、図４〜５に示すような、前記連結部材１１の両端の突出部１７，１７や、前記した係合突部３３の突出支持片３１、前記支柱挾持部１５の前記挾持部本体２２、前記ガイド片２１、前記支柱挾持部１５の上面４７や下面４９等が該当する。
【００３１】
先ず図７〜８に示すように、ネット材３ａの一方の側縁部分５０の上下端５１，５２を、上下に位置する前記第１の支柱連結具６ａ，６ａの、例えばガイド片２１や挾持部本体２２としての引掛け部１０に引っ掛ける。
【００３２】
その後図７、図９に示すように、前記第１の支柱５ａと前記第２の支柱５ｂとの間をなす外周面部５３を該ネット材３ａで覆った後、該ネット材３ａの上下の縁部分５５，５６を、例えば、前記第１、第２の支柱連結具６ａ，６ｂの前記第２の支柱５ｂにおける上下重なり端部分５７，５９間５８としての引掛け部１０に挾み込まれた状態に引っ掛ける。その際、前記上の縁部分５５は、図９（Ａ）、図６（Ａ）に示すように、前記第１の支柱連結具６ａの両側の係合突部３３，３３の突出支持片３１，３１の上縁６０，６０に接するように、或いは該上縁６０，６０の上側に位置するようになすと共に、前記ネット材３ａの下の縁部分５６は、図９、図６（Ｂ）に示すように、前記第１の支柱連結具６ａの両側の係合突部３３，３３の突出支持片３１，３１の下縁６２に接するように、或いは該下縁６２，６２の下側に位置するようになす。
【００３３】
その後、図７、図１０に示すように、前記第２の支柱５ｂと前記第３の支柱５ｃとの間をなす外周面部６３を該ネット材３ａで覆った後、該ネット材３ａの上下の縁部分５５，５６を、例えば、前記第２、第３の支柱連結具６ｂ，６ｃの前記第３の支柱５ｃにおける上下重なり端部分６５，６６間６４としての引掛け部１０に挾み込まれた状態に引っ掛ける。その際、前記上の縁部分５５は、図１０（Ａ）、図６（Ａ）に示すように、前記第２の支柱連結具６ｂの両側の係合突部３３，３３の突出支持片３１，３１の上縁６０，６０に接するように、或いは該上縁６０，６０の上側に位置するようになすと共に、前記下の縁部分５６は、図１０（Ｂ）、図６（Ｂ）に示すように、前記第２の支柱連結具６ｂの両側の係合突部３３，３３の突出支持片３１，３１の下縁６２，６２に接するように、或いは該下縁６２の下側に位置するようになす。
【００３４】
その後、図７、図１１に示すように、前記第３の支柱５ｃと前記第１の支柱５ａとの間をなす外周面部６７を該ネット材３ａで覆った後、該ネット材３ａの他方の側縁部分６９の上下端７０，７１を、上下に位置する前記第３の支柱連結具６ｃ，６ｃの、例えば前記連結部材１１の突出部１７，１７としての引掛け部１０に引っ掛ける。その際、該ネット材３ａの上の縁部分５５は、図１１（Ａ）、図６（Ａ）に示すように、前記第３の支柱連結具６ｃの両側の係合突部３３，３３の突出支持片３１，３１の上縁６０，６０に接するように或いは該上縁６０の上側に位置するようになすと共に、前記下の縁部分５６は、前記第３の支柱連結具６ｃの両側の係合突部３３，３３の突出支持片３１，３１の下縁６２，６２に接するように、或いは該下縁６２，６２の下側に位置するようになす。これにより、前記ネット材３ａが周方向に張った状態で該外周面９を覆う。
【００３５】
このようにしてネット材３ａの各部を前記引掛け部１０の所要のものに引っ掛けて後、図１、図３に示されている上の支柱連結具６ａ１，６ｂ１，６ｃ１を上方向に移動させたり、下の支柱連結具６ａ２，６ｂ２，６ｃ２を下方向に移動させたり、或いは両者をこのように移動させることによって、上下の支柱連結具６，６間の間隔を大きくすることにより、筒状支柱枠体７を覆うネット材３ａを上下方向で張った状態となし得る。
【００３６】
このようにして筒状支柱枠体７の外周面９にネット材３ａを張設すると、筒状のキュウリ栽培棚７２ａとしての植物栽培棚７２を形成できる。然して、キュウリの苗が成長するにつれ、蔓がネット材３ａに巻き付きながら、植物が良好に生長できる。
【００３７】
キュウリの重量が増して前記ネット材３ａの上の縁部分５５が下方に引っ張られる状態となるが、本実施例においては前記のように、該上の縁部分５５が前記両側の突出支持片３１，３１の上縁６０，６０に接するように、或いは該上縁６０，６０の上側に位置するようにネット材３ａが張設されているため、該上の縁部分５５の中間部７６が図１２に示すように、左右の係合突部３３，３３の該突出支持片３１，３１で下方から支持されることになる。そして、該支持された状態の中間部７６は、前記脱落防止片３２（図６（Ａ））によって脱落するのが防止される。これにより、キュウリが成長したときも、キュウリ棚７２ａの構造的安定性がより良好に確保されることになる。
【００３８】
又本実施例においては、前記のように、該下の縁部分５６が前記突出支持片３１，３１の下縁６２，６２に接するように或いは該下縁６２，６２の下側に位置するようにネット材３ａが張設されているため、前記筒状キュウリ棚７２ａが風に吹かれて前記ネット材３ａの下の縁部分５６が上方向に移動しようとした場合、その移動が、該下の縁部分５６の中間部７８が図１３に示すように左右の係合突部３３，３３の該突出支持片３１，３１で上から支持される。該支持された状態の中間部７８は、前記脱落防止片３２によって脱落するのが防止される。そして、このように支持されて移動が阻止されるため、筒状のキュウリ栽培棚７２ａの安定性向上に寄与できることとなる。
【００３９】
なお本実施例においては、図４に示すように、連結部材１１の両端側をなす支柱連結部分１２，１２に、同一寸法のＣ字状の支柱挾持部１５を３個づつ設けることによって支柱連結具６を構成しているため、使用する植木鉢の直径によっては、中間の支柱挾持部１５ｂの嵌入凹部２３に支柱５を嵌入して支柱５，５相互を連結することができる他、内端の支柱挾持部１５ｃに設けられている嵌入凹部２３に支柱５を嵌入させて支柱５，５相互を連結すること等、両端側に夫々存する所要の支柱挾持部１５を適宜選択して支柱５，５相互を連結することにより、所要大きさの筒状支柱枠体７を形成できることとなる。
【００４０】
このように構成する場合は、例えば図１４（Ａ）（Ｃ）に示すように、隣り合う支柱５，５の下端側においては、前記支柱連結具６の内端に位置する支柱挾持部１５ｃ，１５ｃの嵌入凹部２３，２３に支柱５を嵌入させて支柱相互を連結する一方、図１４（Ａ）（Ｂ）に示すように、隣り合う支柱５，５の上端側においては、前記支柱連結具６の外端に位置する支柱挾持部１５ａ，１５ａの嵌入凹部２３，２３に支柱５を嵌入させて支柱相互を連結することにより、上端が下端よりも拡大した筒状支柱枠体７を構成できることになる。逆に例えば図１５（Ａ）（Ｃ）に示すように、隣り合う支柱５，５の下端側においては、前記支柱連結具６の外端に位置する支柱挾持部１５ａ，１５ａの嵌入凹部２３，２３に支柱５を嵌入させて支柱相互を連結する一方、図１５（Ａ）（Ｃ）に示すように、隣り合う支柱５，５の上端側においては、前記支柱連結具６の内端に位置する支柱挾持部１５ｃ，１５ｃの嵌入凹部２３，２３に支柱５を嵌入させて支柱相互を連結することにより、上端が窄まった筒状支柱枠体７を構成できることになる。
【００４１】
これらの筒状支柱枠体７の外周面９を覆うようにネット材３ａ（図示せず）を張設することによって植物栽培棚２を構成できる。これを用いて、例えば各支柱５の根元に朝顔を植えた場合、その生長した状態においては、上端が拡がったタワー状植物栽培状態や上端が窄まったタワー状植物栽培状態が得られることになり、植物の栽培状態を各種に変化させ得る利点がある。
【実施例２】
【００４２】
図１６は、本考案に係る植物支持装置１の他の実施例を示すものであり、植木鉢３７の栽培土３９の上面４０で立設状態に形成される筒状支柱枠体７を構成する支柱連結具６の構成に特徴がある。
【００４３】
即ち、該筒状支柱枠体７は、三角形の頂点位置で立設された３本の支柱５，５，５を具え、隣り合う支柱５，５相互が円環状の支柱連結具６で連結されている。該円環状の支柱連結具６は、支柱の上端側と下端側において支柱５，５相互を連結している。
【００４４】
該円環状の支柱連結具６は、図１７に示すように、その内面側１３に、横断面Ｃ字状を呈する支柱挾持部１５が、１２０度の角度ピッチで突設されており、該支柱挾持部１５の嵌入凹部２３に前記支柱５を嵌入させることにより３本の支柱５，５，５の全体を同時に連結できる。
【００４５】
そして該環状の支柱連結具６の外面側３０には、前記のように構成された筒状支柱枠体７の外周面９を覆うように設けられるネット材３ａを引っ掛けるための引掛け部１０が周方向に所要間隔を置いて設けられている。
【００４６】
然して例えば図１８に示すように、筒状支柱枠体７の外周面９を覆うように設けられた前記ネット材３ａの各部を前記引掛け部１０の所要のものに引っ掛けて後、上の支柱連結具６を上方向に移動させたり、下の支柱連結具６を下方向に移動させたり、或いは両者をこのように移動させることによって、上下の支柱連結具６，６間の間隔を大きくすることにより、筒状支柱枠体７を覆うネット材３ａを上下方向で張った状態となし得る。これによって、筒状支柱枠体７の外周面９を覆った状態に取り付けられている前記ネット材３ａを上下方向で張った状態とでき、例えば、筒状のキュウリ栽培棚（植物栽培棚）７２ａを形成できる。
【実施例３】
【００４７】
本考案は、前記実施例で示したものに限定されるものでは決してなく、「実用新案登録請求の範囲」の記載内で種々の設計変更が可能であることはいうまでもない。その一例を挙げれば次のようである。
【００４８】
(1) 前記実施例においては、三角形の頂点位置で３本の支柱５，５，５を立設すると共に、隣り合う支柱５，５相互を支柱連結具６で連結して三角筒状の筒状支柱枠体７を構成する場合を示したが、筒状支柱枠体７の形態は、立設された筒状支柱枠体７が、対象とする植物を良好に生長させ得る強度的安定性を有するものである限り、各種の態様に形成できる。
正方形や長方形の頂点位置で４本の支柱５を立設すると共に、周方向で隣り合う支柱相互を、少なくともその上下端側で支柱連結具６により連結することによって、例えば図１９に示すような四角形筒状の筒状支柱枠体７を構成する態様や、六角形の頂点位置で６本の支柱５を立設すると共に、周方向で隣り合う支柱相互を、少なくともその上下端側で支柱連結具６により連結することによって、例えば図２０に示すような六角形筒状の筒状支柱枠体７を構成する態様、又、３本以上の支柱５を円弧に沿って立設し、周方向で隣り合う支柱相互を、少なくともその上下端側で支柱連結具（例えば円環状の支柱連結具）６により連結することによって、例えば図２１に示すような円筒状の筒状支柱枠体７を構成する態様等、筒状支柱枠体７は、周方向に所要間隔を置いて３本以上の支柱５を立設すると共に、隣り合う支柱相互を支柱連結具６で連結してなる各種態様のものとして形成できる。
【００４９】
(2) 前記筒状支柱枠体７の外周面９を覆うように設けられるネット状物３は、ジュートやポリプロピレン紐等の紐状物を前記引掛け部１０に適宜引っ掛けることによってネット状に構成してもよい。
【００５０】
(3) 支柱連結具による支柱５，５相互の連結は、通常は、支柱の上下端側の部位相互を連結するだけでも、筒状支柱枠体７の強度上、特に問題はないのであるが、植物の栽培状態に応じて筒状支柱枠体７の強度向上を図る必要のあるときは、更に、上下方向の中間部位相互も支柱連結具６で連結することがある。
【００５１】
(4) 前記支柱連結具６が、前記のように、突出支持片３１を介して脱落防止片３２が設けられてなる係合突部３３を有する場合、該係合突部３３は、１個乃至複数個設けることができ、前記連結部材１１の両端側に設けることの他、中間部分に設けてもよい。なお、該係合突部３３は省略されることもある。
【００５２】
(5) 連結部材１１の両端側に複数個例えば３個のＣ字状の支柱挾持部１５，１５，１５、１５，１５，１５を設ける場合、例えば図２２に示すように、大中小３種類の大きさを有するＣ字状の支柱挾持部１５Ａ，１５Ｂ，１５Ｃを間隔を置いて設ける構成を採用するときは、所要大きさの支柱挾持部を選択できるため、手持ちの植木鉢やプランターに合わせて選択された所要太さの支柱、或いは、栽培する植物に合わせて選択された所要太さの支柱を所要大きさの支柱挾持部の嵌入凹部２３に嵌入させ得ることになって好ましい。
【００５３】
(6) 図２３は、支柱５を弾性的に嵌入させ得る嵌合凹部２３を有し該嵌合凹部２３に嵌入された支柱５を弾性的に挾持し得るＣ字状の支柱挾持部１５の他の態様を示すものであり、凹部としての支柱挾持部１５を具えており、支柱相互をその内面側で連結する。
【００５４】
(7) 前記筒状支柱枠体７は、前記した植木鉢や、プランターに立設状態に設けることができる他、地面に立設状態に設けてもよい。
【図面の簡単な説明】
【００５５】
【図１】本考案に係る植物支持装置を用いて構成された筒状支柱枠体を示す斜視図である。
【図２】その筒状支柱枠体の上下端側の構成を示す斜視図である。
【図３】本考案に係る植物栽培棚の組み立てセットを用いて構成された植物栽培棚の一例を示す斜視図である。
【図４】支柱連結具を示す平面図と斜視図である。
【図５】支柱連結具を構成する支柱挾持部の構成をその使用状態で示す平面図である。
【図６】支柱連結具を構成する連結部材に突設された係合突部による、ネット材の上下の縁部分の支持状態を示す断面図である。
【図７】植物栽培棚の上下端側の構成を説明する斜視図である。
【図８】筒状支柱枠体の外周面をネット材で覆うに際し、ネット材の一方の側縁部分の上下端を、第１の支柱側において引掛け部に引っ掛けた状態を示す斜視図である。
【図９】そのネット材を、第２の支柱側で引掛け部に引っ掛けた状態を示す斜視図である。
【図１０】そのネット材を、第３の支柱側で引掛け部に引っ掛けた状態を示す斜視図である。
【図１１】そのネット材の他方の側縁部分を第１の支柱側で引掛け部に引っ掛けた状態を示す斜視図である。
【図１２】ネット材の上の縁部分の中間部が左右の係合突部で下方から支持された状態を示す正面図と断面図である。
【図１３】ネット材の下の縁部分の中間部が左右の係合突部で支持された状態を示す正面図と断面図である。
【図１４】上端が下端よりも拡大した筒状支柱枠体を示す斜視図と、その上下端側における支柱相互の連結状態を示す平面図である。
【図１５】上端が窄まった筒状支柱枠体を示す斜視図と、その上下端側における支柱相互の連結状態を示す平面図である。
【図１６】円環状の支柱連結具で３本の支柱を連結してなる筒状支柱枠体を示す斜視図である。
【図１７】その円環状の支柱連結具を、支柱挾持部が支柱を挾持した状態で示す平面図である。
【図１８】その筒状支柱枠体を用いて構成された植物栽培棚を示す斜視図である。
【図１９】筒状支柱枠体のその他の構成を、支柱相互を連結した状態で示す平面図である。
【図２０】筒状支柱枠体のその他の態様を、支柱相互を連結した状態で示す平面図である。
【図２１】支柱連結具のその他の態様を示す平面図である。
【図２２】支柱連結具のその他の態様を示す平面図である。
【図２３】支柱連結具のその他の態様を、支柱相互を連結した状態で示す平面図である。
【符号の説明】
【００５６】
１  植物支持装置
２  植物栽培棚
３  ネット状物
５  支柱
６  支柱連結具
７  筒状支柱枠体
９  外周面
１０  引掛け部
１１  連結部材
１５  支柱挾持部
１７  突出部
２２  挾持部本体
２５  支柱導入口
３１  突出支持片
３２  脱落防止片
３３  係合突部
３５  突部
３７  植木鉢
３９  栽培土
５０  ネット材の一方の側縁部分
５３  外周面部
５５  ネット材の上の縁部分
５６  ネット材の下の縁部分
６３  外周面部
６７  外周面部
７２  植物栽培棚
【図１】
0003148053.tif 000003
【図２】
0003148053.tif 000004
【図３】
0003148053.tif 000005
【図４】
0003148053.tif 000006
【図５】
0003148053.tif 000007
【図６】
0003148053.tif 000008
【図７】
0003148053.tif 000009
【図８】
0003148053.tif 000010
【図９】
0003148053.tif 000011
【図１０】
0003148053.tif 000012
【図１１】
0003148053.tif 000013
【図１２】
0003148053.tif 000014
【図１３】
0003148053.tif 000015
【図１４】
0003148053.tif 000016
【図１５】
0003148053.tif 000017
【図１６】
0003148053.tif 000018
【図１７】
0003148053.tif 000019
【図１８】
0003148053.tif 000020
【図１９】
0003148053.tif 000021
【図２０】
0003148053.tif 000022
【図２１】
0003148053.tif 000023
【図２２】
0003148053.tif 000024
【図２３】
0003148053.tif 000025